(57)【特許請求の範囲】
【請求項１】
植物種子の斜面への自然侵入を促進するための一重のネットであって、
当該ネットの裏面の一部に浮き上げ部材を設けて、当該ネットを施工したときその一部が前記斜面から浮き上がって浮き上がり部分となるようにするとともに、
この浮き上がり部分の谷側となる部分を、前記植物種子の捕捉可能な密部分とし、かつ、前記浮き上がり部分の山側となる部分に、前記植物種子の当該ネット下への侵入を可能にする開口を設けたことを特徴とする植物種子自然侵入促進用ネット。
【発明の詳細な説明】
【技術分野】
【０００１】
本発明は、法面等の各種斜面に施工されるネットに関し、特に、植物種子の斜面への自然な侵入を促進することのできるネットに関するものである。
【背景技術】
【０００２】
法面等の斜面に対しては、種々な植生あるいは緑化を行って、斜面自体の保護を行うと共に、この植生あるいは緑化した斜面の存在による周囲の景観を美しくすることがなされる。一方で、植生あるいは緑化を行う植物として、所謂外来種を採用することは近年好まれておらず、在来種植物によって行うことが奨励されてもいる。
【０００３】
在来植物によって植生あるいは緑化を行う場合、既に自然に生育している植物の種子をそのまま利用できれば、わざわざ種子を集めたり、集めた種子を苗に育てる必要がないと考えられるが、そのようなことを目指した「法面緑化における植物自然侵入促進方法及びその装置」が、特許文献１に提案されている。
【０００４】
この特許文献１の「法面緑化における植物自然侵入促進方法及びその装置」は、「急勾配の法面では、近隣の樹木等から飛散あるいは落下後に法面を容易に転げ落ちてしまい、植生誘導工により早期に自然侵入させることが極めて困難であったので、この種子を確実に捕捉し、効率的な植生を図る」ことを目的としてなされたもので、例えば図６に示すように、「種子を含まない生育基盤のみを法面に造成する植生誘導工法において、生育基盤造成後に柵状物を１又は２以上の線状、又は断続的若しくは千鳥格子状に設置するか、生育基盤造成後に網状物を該造成基盤上の一部又は全面に敷設するか、若しくは生育基盤造成後に、柵状物と網状物を設置する」ものである。
【特許文献１】特開平１１−８１３２７号公報、要約、代表図
【発明の開示】
【発明が解決しようとする課題】
【０００５】
しかしながら、この特許文献１の技術では、
・生育基盤造成後に柵状物を１又は２以上の線状、又は断続的若しくは千鳥格子状に設置する
・生育基盤造成後に網状物を該造成基盤上の一部又は全面に敷設する
・生育基盤造成後に、柵状物と網状物を設置する
かのいずれかの手段を採用するにあたって、いずれも「生育基盤造成」を行わなければならないものとなっている。つまり、この特許文献１の技術では、「生育基盤造成」を行うことが必須になっているため、施工に費用と手間が掛かるのではないかと考えられる。
【０００６】
特に、上記２番目の方法では、「生育基盤造成後に網状物を該造成基盤上の一部又は全面に敷設する」のであるが、「網状物」だけでは植物種子が転がってしまったり、風に吹き飛ばされてしまったりして、その捕捉が十分行えないのではないかと思われる。
【０００７】
そこで、本発明者等は、施工での費用や手間を簡略化できて、植物種子の斜面への自然な侵入を促進することのできるネットとするにはどうしたらよいか、について種々検討を重ねてきた結果、在来植物は、既設は勿論、新設の斜面であっても十分生育する生命力を有していることに気付き、本発明を完成したのである。
【０００８】
すなわち、本発明の目的とするところは、斜面に敷設施工するだけで、植物種子の捕捉を確実に行うことができて、斜面への自然な侵入を促進することのできるネットを、簡単な構造によって提供することにある。
【課題を解決するための手段】
【０００９】
以上の課題を解決するために、本発明の採った手段は、後述する最良形態の説明中で使用する符号を付して説明すると、
「植物種子２０の斜面３０への自然侵入を促進するための一重のネット１０であって、
当該ネット１０の裏面の一部に浮き上げ部材１２を設けて、当該ネット１０を施工したときその一部が斜面３０から浮き上がって浮き上がり部分１１となるようにするとともに、
この浮き上がり部分１１の谷側となる部分を、植物種子２０の捕捉可能な密部分１１ａとし、かつ、浮き上がり部分１１の山側となる部分に、植物種子２０の当該ネット１０下への侵入を可能にする開口１１ｂを設けたことを特徴とする植物種子自然侵入促進用ネット１０」
である。
【００１０】
すなわち、本発明に係る植物種子自然侵入促進用ネット１０（以下、単に、侵入促進用ネット１０と言う）は、図４の（ａ）に示すような平面形状のものに編むか織ったもの、あるいは後述するようにした密部分１１ａを、荒い網目のネット間に織り込んだり、連結部分を採用して接続したりして構成したものであり、図１及び図２に示すように、これをそのまま斜面３０上に敷設するだけで、図３に示すように、飛散してきた植物種子２０が当該侵入促進用ネット１０の下側に侵入し得るようにするための多数の開口１１ｂと、これらの開口１１ｂから侵入した植物種子２０をそれ以上下側に移動しないように受け止めて捕捉する密部分１１ａとを、斜面３０上に配置するものである。
【００１１】
そのために、この侵入促進用ネット１０は、図３にも示すように、横方向に連続することになる複数列の浮き上がり部分１１と、これらの浮き上がり部分１１間に位置する連結部分１１ｃとを有したものであり、この浮き上がり部分１１を、浮き上げ部材１２によって斜面３０から浮き上がらせるようにしたものである。
【００１２】
各密部分１１ａは、当該侵入促進用ネット１０を構成する縦糸（紐）と横糸（紐）、あるいは網目を細かくする（植物種子２０を受け止めて反対側に出さない程度の網目）か、不織布やマット状のものによって形成することにより、植物種子２０を受け止めることができるようにしたものである。この密部分１１ａは、あくまでも植物種子２０の受け止めを行えるものであれば十分であり、図３の上側の密部分１１ａにて示すような浮き上がり部分１１の谷側全部を形成する場合は勿論、図３の下側の密部分１１ａにて示すような浮き上がり部分１１の谷側下半分を形成するものであってもよい。
【００１３】
各開口１１ｂは、各密部分１１ａの連結部分１１ｃの一部をそのまま利用してもよいし、単なる縦糸（紐）だけであってもよいが、当該侵入促進用ネット１０を斜面３０上に敷設したとき、山側に向けて開口している必要がある。何故なら、例えば図３に示したようなドングリである植物種子２０が、この開口１１ｂを通して当該侵入促進用ネット１０の下側に転がり込める必要があるからである。勿論、この開口１１ｂが山側に向けて大きく開口していれば、植物種子２０の肥料ともなり得る落ち葉や土砂の、上記各密部分１１ａ及びその直前にある斜面３０上への侵入を可能にするものであるが、余り大きいと、折角捕捉した植物種子２０を風によって外に出してしまうことにもなり得るから、４〜１００平方センチメートル程度の大きさであるとよい。
【００１４】
さて、この侵入促進用ネット１０は、図１及び図２に示したように、斜面３０から浮き上がった浮き上がり部分１１が、この侵入促進用ネット１０を斜面３０上に敷設するだけで形成できるものであったが、この浮き上がり部分１１を斜面３０上に形成するのが浮き上げ部材１２である。この浮き上げ部材１２は、図４の（ｂ）〜（ｄ）に示すような種々な側面形状のものが採用できるが、その存在によって上記密部分１１ａや開口１１ｂを隠さないで山側に向かわせる必要があるから、図４の（ａ）に示すように、横一列で部分的に配列したものである必要がある。
【００１５】
また、これらの浮き上げ部材１２は、その背中部分で上述した密部分１１ａの一部を止めるものであるから、この止め作業を行い易くするために、図５にも示すように、ある一定の幅、例えば１〜１０センチメートルの幅を有するものであるとよい。勿論、これらの浮き上げ部材１２は、当該侵入促進用ネット１０の密部分１１ａ部分ができるだけ斜面３０上に位置するようにするものでもあるから、図４の（ｂ）〜（ｄ）に示すような側面形状のものであるとよい。
【００１６】
なお、この浮き上げ部材１２は、当該侵入促進用ネット１０を施工した斜面３０上に侵入が図られた植物種子２０が生育した後に、斜面３０を構成している土に還えるものであれば植物種子２０のための肥料ともなるから、例えば木材板や、古紙を固めたものによって形成するのが好ましい。
【００１７】
以上のように構成した侵入促進用ネット１０は、これを斜面３０上に展開施工するのであるが、その場合には、浮き上がり部分１１を形成しなければならないから、各浮き上げ部材１２が斜面３０上に当接するように、つまり各浮き上げ部材１２が下側になるようにする必要がある。勿論、この侵入促進用ネット１０は、飛散してくる在来植物の植物種子２０を捕捉するものであるから、斜面３０については、これに肥料を入れたり、整地したりする必要は全くない。
【００１８】
この侵入促進用ネット１０を斜面３０上に敷設すれば、図１〜図３に示すように、斜面３０上に載置された各浮き上げ部材１２に保持された侵入促進用ネット１０の部分は浮き上がり部分１１となる。この浮き上がり部分１１においては、図３に示すように、その谷側となる部分が密部分１１ａとなり、山側となる部分には多数の開口１１ｂが開口することになる。
【００１９】
各開口１１ｂは、山側に向けて開口するから、図３にも示すように、この開口１１ｂに向けて飛散してきた植物種子２０は、各開口１１ｂから斜面３０上に落ち込む、あるいは侵入するのである。開口１１ｂから斜面３０上に落ちた植物種子２０は、この斜面３０及び浮き上がり部分１１の谷側に位置している密部分１１ａによって囲まれるから、風が吹いたり、山側から水が流れてきたとしても、これらの斜面３０及び密部分１１ａによって捕捉されたままの状態が維持される。つまり、開口１１ｂから侵入促進用ネット１０下に侵入した植物種子２０は、浮き上がり部分１１の密部分１１ａやその直上の斜面３０上にて保持され、この密部分１１ａに捕捉された斜面３０上にて発芽できるのを待つことになるのである。
【００２０】
なお、この植物種子２０が開口１１ｂから侵入促進用ネット１０下に落下したとき、たまたま密部分１１ａの内面に引っ掛かって、斜面３０上には落下しなかったとしても、長期的にみれば、発芽可能な状態が維持される。何故なら、この植物種子２０が引っ掛かっている密部分１１ａは文字通り「密」なものであるから、この密部分１１ａ自体がある程度の保水性を有しているからである。
【００２１】
そして、最終的には、この侵入促進用ネット１０によって捕捉された植物種子２０は、斜面３０に根を伸ばし、この侵入促進用ネット１０を施工した斜面３０上にて生育することになるのである。
【００２２】
従って、本発明に係る侵入促進用ネット１０は、斜面３０に敷設施工するだけで、植物種子２０の捕捉を確実に行うことができて、斜面３０への自然な侵入を促進することができるものとなっているのである。
【発明の効果】
【００２３】
以上、説明したとおり、本発明においては、
「植物種子２０の斜面３０への自然侵入を促進するための一重のネット１０であって、
当該ネット１０の裏面の一部に浮き上げ部材１２を設けて、当該ネットを施工したときその一部が斜面３０から浮き上がって浮き上がり部分１１となるようにするとともに、
この浮き上がり部分１１の谷側となるネット１０の部分を、植物種子２０の捕捉可能な密部分１１ａとし、かつ、浮き上がり部分１１の山側となるネット１０の部分に、植物種子２０の密部分１１ａへの侵入を可能にする開口１１ｂを設けたこと」
にその構成上の特徴があり、これにより、斜面３０に対する敷設施工が簡単に行えるだけでなく、植物種子２０の捕捉を確実に行うことができて斜面３０への自然な侵入を促進することのできる侵入促進用ネット１０を、簡単な構造によって提供することができるのである。
【発明を実施するための最良の形態】
【００２４】
次に、上記のように構成した本発明を、図面に示した最良の形態に基づいて説明すると、図１〜図３には、本最良形態に係る侵入促進用ネット１０を斜面３０上に施工した状態が示してある。これらの図１〜図３では、斜面３０の横方向に沿った多数の浮き上がり部分１１が、その下の浮き上げ部材１２によって斜面３０から浮き上がった状態になりながら斜面３０の上下方向に並んでいて、各浮き上がり部分１１の間は侵入促進用ネット１０の一部である連結部分１１ｃによって接続されている。ここで、斜面３０の上方向が「山側」であり、斜面３０の下方向が「谷側」である。
【００２５】
本最良形態に係る侵入促進用ネット１０が施工、つまり敷設される前の斜面３０は、当該侵入促進用ネット１０が敷設できる程度の平面性を有していれば十分であり、わざわざ整地する必要はないし、まして、肥料を追加したり、土壌改良をする必要もない。本発明に係る侵入促進用ネット１０は、当該斜面３０の周囲から飛散してきた、あるいは落下してきた植物種子２０を捕捉するだけのものであり、捕捉した植物種子２０の発芽や生育は、当該植物種子２０が本来的に有している自然の生命力をそのまま利用するものだからである。
【００２６】
さて、本最良形態の侵入促進用ネット１０は、図４に示すように、まず、ネット本体１０ａと、このネット本体１０ａの一部に取り付けた浮き上げ部材１２とを有するものであり、この浮き上げ部材１２によって、当該侵入促進用ネット１０を施工したとき、このネット本体１０ａの一部が斜面３０から浮き上がって浮き上がり部分１１となるようにしたものである。
【００２７】
このネット本体１０ａとしては、種々なもの及び種々な方法で構成することが可能であり、合成繊維糸（紐）や天然繊維糸（紐）によってネット状に編んで形成することが最も簡便である。また、次に述べる密部分１１ａをマット状に形成して、これを、後述する連結部分１１ｃとなる紐状物やネット上物で互いに連結して、当該ネット本体１０ａを構成してもよい。
【００２８】
以上のネット本体１０ａを構成するにあたっては、浮き上げ部材１２によって浮き上がり部分１１が形成できるようにしなければならないが、この浮き上がり部分１１の谷側となる部分は、図３にも示したように、植物種子２０の捕捉可能な密部分１１ａとし、浮き上がり部分１１の山側となる部分は、植物種子２０のネット本体１０ａ下への侵入を可能にする開口１１ｂとする必要がある。換言すれば、ネット本体１０ａの密部分１１ａとなる部分に、上述した浮き上げ部材１２を設けるようにすればよい。
【００２９】
密部分１１ａは、上述したように、植物種子２０の捕捉ができる程度の網目を有する網状物として構成したり、マット状物に構成したりできるが、本最良形態では、ネット本体１０ａの該当部分を細かく織製して構成した。この密部分１１ａは、植物種子２０の受け止めを行えるものであれば十分であるから、図３の上側の密部分１１ａにて示したように、浮き上がり部分１１の谷側全部を密部分１１ａとして形成する場合は勿論、図３の下側の密部分１１ａにて示したように、浮き上がり部分１１の谷側下半分だけを密部分１１ａとして形成してもよい。
【００３０】
逆に、本最良形態の開口１１ｂは、ネット本体１０ａの該当部分の織製を、図３に示した密部分１１ａより粗くすることによって形成したものである。これらの開口１１ｂは、斜面３０の山側から転動してきた、または周囲から飛散してきた植物種子２０を、当該侵入促進用ネット１０を構成しているネット本体１０ａ下に導入できれば十分だからである。
【００３１】
これらの開口１１ｂ及び密部分１１ａは、図１及び図３に示したように、連結部分１１ｃによって連結して、図４の（ａ）に示したような面積を有するもの仕立てられる。換言すれば、ネット本体１０ａは、複数の、密部分１１ａ、開口１１ｂ（部分）、及び連結部分１１ｃを、交互に織り込んで形成したのである。
【００３２】
なお、これらの開口１１ｂ及び密部分１１ａを有する浮き上がり部分１１をネット本体１０ａとは別の材料で形成しておいて、この浮き上がり部分１１を、同じくネット本体１０ａとは別の材料で形成した横方向に長い「基材」上に、後述する浮き上げ部材１２をかませながら取り付けて、上記「基材」を切れ目のないネット本体１０ａ上に一体化するように実施してもよいものである。
【００３３】
さて、以上のネット本体１０ａの下側に設けた本最良形態の浮き上げ部材１２は、その側面形状を、図１〜図３、及び図４の（ｂ）に示したような三角形状にしたものであるが、この浮き上げ部材１２は、図４の（ｃ）及び（ｄ）に示したように、その側面形状を半月状にしたり、四角形状にしたりして実施してもよいものである。勿論、この浮き上げ部材１２は、ネット本体１０ａの一部を浮き上がらせて浮き上がり部分１１とするものであり、上述した密部分１１ａや開口１１ｂの少なくとも一部が山側に向かうようにしなければならないから、図４の（ａ）にて示したように、ネット本体１０ａの横方向に対して部分的に存在するようにしなければならない。
【００３４】
当該侵入促進用ネット１０は、これを斜面３０上に展開するだけでその施工が行えるとよいから、この浮き上げ部材１２は、ネット本体１０ａの密部分１１ａとなる部分に予め取り付けておかれる。その取付方法としては、各浮き上げ部材１２の背中に密部分１１ａをステープルによって止めるのが最も簡便であるが、図５のように実施してもよい。
【００３５】
図５の（ａ）では、ネット本体１０ａ上に下地材を取り付けておき、この下地材上に面ファスナーである取付材１２ａの一部を固定し、この取付材１２ａの他の部分を浮き上げ部材１２下に固定したものである。この浮き上げ部材１２は、当該侵入促進用ネット１０の施工前には、図５の（ａ）及び（ｂ）の各左側で示したようにネット本体１０ａ上に寝かせた状態にしておき、施工直前に、図５の（ａ）及び（ｂ）の各右側で示したように、起こすのである。この浮き上げ部材１２を起こしたときには、取付材１２ａが二つ折り状態になって互いに密着し合うから、浮き上げ部材１２はネット本体１０ａに対して立った状態になるのである。
【００３６】
以上のようにした場合には、施工前の侵入促進用ネット１０は無駄なく巻回しておくことができて、保管や運搬が簡単になり、施工時には、各浮き上げ部材１２を簡単に必要状態にすることができるのである。
【００３７】
図５の（ｃ）では、浮き上げ部材１２の適宜位置に立設材１２ｂを取り付けておき、当該侵入促進用ネット１０を巻回するときにはこの立設材１２ｂを外しておき、当該侵入促進用ネット１０を施工するときには、立てた浮き上げ部材１２を立設材１２ｂによって固定するようにしたものである。なお、この立設材１２ｂを伸び縮みする弾性紐としておくと、侵入促進用ネット１０の巻回を解いたときに各浮き上げ部材１２が自動的に立ち上がるから、上記作業をより一層簡単なものとすることができる。
【００３８】
なお、本発明は、次のようにしても実施できる。
植物種子の斜面への自然侵入を促進するためのネットであって、ネット本体（１０ａ）と、前記ネット本体の一部に取り付けられると共に、当該ネットの施工時に前記ネット本体の一部を前記斜面から浮き上がらせて浮き上がり部分（１１）とするための浮き上げ部材（１２）とを備え、前記ネット本体（１０ａ）は、前記浮き上げ部材によって構築される前記浮き上がり部分（１１）の谷側に相当する谷側構成部（１１ａ）と、前記浮き上げ部材によって構築される前記浮き上がり部分（１１）の山側に相当する山側構成部（１１ｂ）と、前記谷側構成部（１１ａ）と前記山側構成部（１１ｂ）とを連結する連結部分（１１ｃ）とを有しており、前記ネット本体の谷側構成部（１１ａ）は、その網目密度が前記山側構成部（１１ｂ）における網目密度よりも相対的に密な密部分（１１ａ）として形成されており、前記ネット本体の山側構成部（１１ｂ）は、その網目密度が前記谷側構成部（１１ｂ）における網目密度よりも相対的に粗く形成されることで、前記植物種子の当該ネット下への侵入を可能にする開口（１１ｂ）を提供することを特徴とする植物種子自然侵入促進用ネット。
【図面の簡単な説明】
【００３９】
【図１】本発明に係る侵入促進用ネットを斜面上に施工した状態を示す斜視図である。
【図２】同部分拡大縦断面図である。
【図３】図２の拡大斜視図である。
【図４】本発明係る侵入促進用ネットを示すもので、（ａ）は部分平面図、（ｂ）は（ａ）の側面図、（ｃ）は他の例を示す側面図、（ｄ）はさらに別の例を示す側面図である。
【図５】ネット本体に浮き上げ部材１２を取り付ける例を示すもので、（ａ）は部分拡大平面図、（ｂ）は（ａ）の平面図、（ｃ）は別例の平面図である。
【図６】従来の技術を示す部分断面図である。
【符号の説明】
【００４０】
１０    侵入促進用ネット
１０ａ  ネット本体
１１    浮き上がり部分
１１ａ  密部分
１１ｂ  開口
１１ｃ  連結部分
１２    浮き上げ部材
１２ａ  取付材
１２ｂ  立設材
２０    植物種子
３０    斜面
【図１】
0005145028.tif 000002
【図２】
0005145028.tif 000003
【図３】
0005145028.tif 000004
【図４】
0005145028.tif 000005
【図５】
0005145028.tif 000006
【図６】
0005145028.tif 000007